(57)【要約】【課題】従来の情報管理装置は、特定の物の有無のみが認識可能で、ユーザの置かれている状況や環境に合わせ、特定の条件に対応し、必要情報あるいは、あるべきではない情報がなにかという認識できない。【解決手段】物品に添付され、被添付物品を識別可能な情報が保持されたＩＤ情報保持装置のＩＤ情報を無線通信手段により取得し、取得IDリストを作成するID情報取得部と、予め作成された比較IDリストを備え、比較IDリストとID情報取得部で取得した取得IDリストとを比較するID情報比較部と、ID情報比較部の比較結果を提示する比較結果提示部とを備える。【選択図】図１
2005071039.tif 000002
【特許請求の範囲】
【請求項１】
物品のID情報を無線通信手段を用いて取得し、この取得したIDと、備えられている比較IDリストとを比較するID情報比較部と、ID情報比較部の比較結果を提示する比較結果提示部とを備えたことを特徴とする情報管理装置。
【請求項２】
前記比較IDリストは複数備えられ、取得IDリストと比較する比較IDリストを取得IDリストに応じて選択する手段を備えたことを特徴とする請求項１記載の情報管理装置。
【請求項３】
前記比較結果提示部は、取得IDリストにありかつ、比較IDリスト上にあるIDを提示する構成にされたことを特徴とする請求項１記載の情報管理装置。
【請求項４】
前記比較結果提示部は、取得IDリストにありかつ、比較IDリスト上にないIDを提示する構成にされたことを特徴とする請求項１記載の情報管理装置。
【請求項５】
前記比較結果提示部は、取得IDリストになくかつ、比較IDリスト上にあるIDを提示する構成にされたことを特徴とする請求項１記載の情報管理装置。
【請求項６】
前記ID情報取得部は、ユーザが携行している物品のID情報を取得し、ID情報比較部はユーザが携行している物品の取得IDリストと比較IDリストとを比較照合を行うことを特徴とする請求項１乃至請求項５の何れかに記載の情報管理装置。
【請求項７】
時刻情報を取得する手段と、時刻（日時）に依存した条件と関連付けた比較IDリストを作成する手段とを備え、ID情報比較部は時刻情報に依存した状況に応じた比較照合を行うことを特徴とする請求項６記載の情報管理装置。
【請求項８】
気象条件を取得する手段と、気象に依存した条件と関連付けた比較IDリストを作成する手段とを備え、ID情報比較部は気象情報に依存した状況に応じた比較照合を行うことを特徴とする請求項６または請求項７に記載の情報管理装置。
【請求項９】
取得した取得IDリストの取得履歴を保存する手段を備え、最新の取得IDリストの一つ前に取得した取得IDリストを比較IDリストとし、ID情報比較部はこの比較IDリストと最新の取得IDリストとの照合を行うことを特徴とする請求項６乃至請求項８の何れかに記載の情報管理装置。
【請求項１０】
取得したIDの取得IDリストを用いて、次の照合時の照合判定における比較IDリストの使用条件を設定する手段を備えたことを特徴とする請求項６乃至請求項９の何れかに記載の情報管理装置。
【請求項１１】
前記無線通信手段を用いて外部から比較IDリストを取得する手段を持つことを特徴とする請求項１乃至請求項１０の何れかに記載の情報管理装置。
【請求項１２】
前記比較IDリストは、前記ID情報比較部による比較照合の際に検出されてはいけない物品に関する禁止物の条件情報または、比較照合の際に検出されなければいけない物品の必要物の条件情報を有することを特徴とする請求項１乃至請求項１１の何れかに記載の情報管理装置。
【請求項１３】
前記比較結果提示部は、比較結果を画面により提示するかまたは音声により提示する構成にされたことを特徴とする請求項１乃至請求項１２の何れかに記載の情報管理装置。
【請求項１４】
前記比較結果提示部は、比較結果の提示方法を選択する選択手段を持つことを特徴とする請求項１３に記載の情報管理装置。
【請求項１５】
自己が保持する比較IDリストまたは比較照合結果を他の外部機器へ送信する手段を持つことを特徴とする請求項１乃至請求項１４の何れかに記載の情報管理装置。
【発明の詳細な説明】
【技術分野】
【０００１】
この発明は、通信システムを用いて収集した情報の管理を行う情報管理装置に関するものである。
【背景技術】
【０００２】
図１８は例えば、特開２０００−１８７７８７号公報「忘れ物 防止システム」に示された従来の情報管理装置を含む情報管理システムである。図１８において、この情報管理システムは、貼付（添付）されている物品（モノ）を識別可能にする情報を保持しているID情報保持装置００１と、情報管理装置１００により構成され、情報管理装置１００は無線通信部００２とID情報取得部００３とID情報取得結果提示部００４からなる。
【０００３】
図１８において情報管理装置１００のID情報取得部００３は、無線通信部００２を介しID情報保持装置００１にアクセスし、ID情報保持装置００１からこのID情報保持装置００１が添付されているモノを識別する情報を取得を試みる。ID情報取得部００３はID情報保持装置００１の情報の取得に失敗した場合、ID情報取得結果提示部００４に通知し、ID情報取得結果提示部００４は警報を発信し取得に失敗した事をユーザに通知する。この従来の情報管理装置においては、定期的に個々の物品（モノ）に添付された識別子情報の取得を試み、認識できるか否かにより、所定範囲内に存在するかの判定のみを行っていた。
【０００４】
次に動作について説明する。図１９は従来例における処理フローである。処理を開始するとステップＳ００１にて、情報管理装置１００はID取得部００３を用い,無線通信部００２を経由し、ID情報保持装置００１からのID情報を取得する。処理ステップＳ００１の後、判定処理ステップＳ００２によりID情報を取得できたか否かの判定を行う。判定処理ステップＳ００２にてこの取得に成功したと判定された場合、判定処理ステップＳ００４にて一連の処理を終了するか否かの判定を行い、終了しない場合は再び処理ステップＳ００１に戻り一連の処理を繰り返す。
一方、判定処理ステップＳ００２にてID情報が取得できなかったと判定されると処理ステップＳ００３にてID情報取得不能警報処理により、ユーザに音で取得できなかった事を通知する。
【発明の開示】
【発明が解決しようとする課題】
【０００５】
従来の情報管理装置は、特定のものの有無のみを認識可能であり、ユーザの置かれている状況や環境に合わせ、必要に応じ設定された特定の条件に対応し、必要としている情報あるいは、あるべきではない情報がなにかという認識できないという問題点があった。また、結果の提示方法も警報という音声のみであり、文字、映像などの状況やユーザに応じた情報提供の方法を行うことはできないという問題点があった。
【０００６】
この発明は上記のような問題点を解決するためになされたもので、ユーザの状況に応じたリスト上の情報と物品（モノ）（ID）との照合を行い、ユーザの状況に適合した方法にて結果を提示することを目的とする。
【課題を解決するための手段】
【０００７】
この発明の情報管理装置は、物品に添付され、被添付物品を識別可能な情報が保持されたID情報保持装置のID情報を無線通信手段により取得し、取得IDリストを作成するID情報取得部と、予め作成された比較IDリストを備え、比較IDリストとID情報取得部で取得した取得IDリストとを比較するID情報比較部と、ID情報比較部の比較結果を提示する比較結果提示部とを備える。
【発明の効果】
【０００８】
比較IDリストを用いることにより、ユーザの置かれている状況や環境に合わせ、必要に応じ設定された特定の条件に対応して、リスト上の情報と物品（ID）との照合を行うので、種々の目的に適応した情報管理装置が提供できる。
【発明を実施するための最良の形態】
【０００９】
実施の形態１．
図１はこの発明の実施の形態１である情報管理システムを示すブロック構成図の例である。図において、この情報管理システムは、物品に添付されかつ添付されている物品（モノ）を識別するID情報を保持しているID情報保持装置００１と、情報管理装置１００で構成される。情報管理装置１００は無線通信部００２とID情報取得部００３と比較結果提示部００４とID情報比較部００５と比較IDリスト００６とを備える。
比較IDリスト００６は、該情報管理装置１００にて把握し、比較対象として扱うID情報のリストを含む。
比較結果提示部００４は、その提示方法として音声によるもの、画面表示によるもの及びこれら両者を用いるもの、さらにはユーザが選択する上述の方法等様々な方法で行うことができる。また、比較結果提示部００４は、結果をハードディスクなどのストレージに保存する比較結果保存部(図示していない）に差し替える、あるいは比較結果保存部および比較結果提示部ともに備えることも可能である。さらにまた、この比較結果提示部は、結果を他の機器へと送信する比較結果通信部と差し替える、あるいは無線通信部００２の機能として、この比較結果通信部の機能を兼ね備え、無線通信部００２により他の機器に結果を送信することも可能である。これらの、比較結果提示部、比較結果保存部、比較結果通信部、および比較結果通信部の機能を備えた無線通信部は、いずれかの組み合わせでもつことも可能である。
また、この情報管理システムを構成するID情報保持装置は、必ずしも物品に添付されいるモノに限らず、物品の一部あるいはそれ自身であっても構わない。さらに、図１においては、このID情報保持装置００１は一つのみ示されているが、情報管理装置１００の無線通信部００２にて通信可能なID情報保持装置の数には特に限定はない。
【００１０】
図１において情報管理装置１００のID情報取得部００３は、無線通信部００２を介しID情報保持装置００１にアクセスし、このID情報保持装置００１が添付されている物品を識別する情報取得を試みる。ID情報取得部００３はID情報保持装置００１が保持するID情報を取得すると取得IDリストを作成し、ID情報比較部００５を用いて、比較IDリスト００６上にあるID情報と比較し、比較結果提示部００４に設定された方法を用いて、ユーザへ比較結果を提示する。
【００１１】
次に動作について説明する。
図２はこの実施の形態１における情報管理装置１００の情報照合処理の流れを示す処理フロー図の例である。処理を開始すると、ステップＳ２０１において、図１に示すID情報取得部００３が無線通信部００２を経由し、近傍（無線通信部００２の使用電波到達範囲）にある複数のID情報保持装置００１にアクセスしID情報を取得し、取得IDリストを作成し保持する。
【００１２】
次に、ステップＳ２０２において、ステップＳ２０１においてID情報を取得できたか、否かの判定を行う。ステップＳ２０２において、取得できたID情報が無いと判定された場合、ステップＳ２０６でID情報確認不能の処理を行い、ステップＳ２０５の処理にて、終了か否かの判定を行う。このステップＳ２０５の判定処理については後述する。一方、ステップＳ２０２においてID情報を取得したと判定された場合、ステップＳ２０４にてID情報取得時処理として、比較IDリスト上のID情報とステップＳ２０１において取得されたID情報との照合処理を行う。
【００１３】
ステップＳ２０４にて照合処理が終了すると、ステップＳ２０５にて処理を終了させるか否かの判定を行う。この判定は、ステップＳ２０１のID情報保持装置００１による情報取得からステップＳ２０４のID情報取得時処理或いはステップＳ２０６のID確認不能処理にいたる一連の処理を、繰り返すか否かを決定するものである。
【００１４】
終了か継続かの決定方法は、予め決められた回数を繰り返したか否かを判定する方法や、ユーザによる終了指定がなされているか否か（即ちユーザによる終了指定がなされるまで繰り返す）の方法などをとることが出来る。また、これらと組み合わせ、GPS（Global Positioning System)などを用い絶対位置情報をこの情報管理装置１００に持たせることにより規定距離移動ごとに判定を繰り返す実装も考えられる。
予め決められた回数を繰り返したか否かで終了か継続かを決定ことは、複数回繰り返すことにより、ID情報保持装置００１との通信の失敗による取得不能だったものが取得可能となる場合もあるからである。
さらに、移動に伴い常に取得されたIDを携帯物として判定しそのリストを保存する実装も可能である。
【００１５】
図２の判定処理ステップＳ２０５にて処理終了と判定された場合、処理ステップＳ２０７にて結果提示処理を行い、比較結果提示部００４にて結果を提示する。この時、結果の提示方法は以下の3通りが考えられる。
(1)比較IDリスト上にあり、かつステップＳ２０１処理にて取得できなかったものを提示。
(2)比較IDリスト上にあり、かつステップＳ２０１処理にて取得できたものを提示。
(3)比較IDリスト上になく、かつステップＳ２０１処理にて取得できたものを提示。
【００１６】
上記(1)または(2)を実現することにより、例えば、携帯物チェックを行う目的で比較IDリストとして外出時の比較IDリストを用い、忘れ物防止装置を実現することが出来る。例えば、この情報管理装置１００を移動しながら（即ちユーザが携帯しながら）判定を行うことにより、移動を経ても常に取得できたID情報（即ち繰り返された全てのID情報保持装置００１からの取得処理において認識されたID）の取得リストを作成すると、この取得リストは携帯物IDリストとなる。即ち携帯物IDリストは、この情報管理装置１００を携帯しつつ移動しながらステップＳ２０１に示すID取得処理を複数回繰り返し、その都度作られる「取得IDリスト」上に常に存在したIDを入力する。これにより、情報管理装置１００を携帯したユーザが移動すると、他の携帯物もユーザおよび情報管理装置１００と共に移動するが、ユーザの周辺に置かれた物品は移動しないため、複数回ID取得を繰り返すことにより、携帯物のIDのみが取得できる。
【００１７】
この「携帯物リスト」を利用し、以下の装置を実現可能である。
イ．自宅を出る際の持ち忘れ防止装置：比較IDリスト上にありかつ「携帯物IDリスト」にないID情報をユーザに提示することで忘れ物を防止する装置の実現が可能となる。
ロ．電車などでの置忘れ防止装置：最後に作成された「携帯物IDリスト」を保存し、履歴を作成し、電車を出る際に（無線通信部００２からの電波が届かないくらい十分に）席から移動し、再びID取得を行い、最新の「取得IDリスト」とのID比較を行い、最後に作成された「携帯物IDリスト」にありかつ最新の「取得IDリスト」にないIDを持つ物品を「置き忘れ物」と認識し、ユーザに通知する。
また(3)の結果提示方法と組み合わせ、例えば、ゲートを通る際に、携帯物リストを作り、ゲートを出る時に、再びチェックを行い、リスト上にないものを携帯しているか否かのチェックを行うことにより、持ち出し物チェック装置を実現することが出来る。
【００１８】
また、比較結果提示部００４によるこれらの提示方法は、音声、画面表示など、様々な方法で行うことができる。また、必要に応じてこれらの音声表示、画像表示、など様々な応用が可能である。さらにまた、これらの提示方法は組み合わせて行う、あるいはユーザが、選択して行う実装も可能である。
さらに、電子メールあるいは無線などの外部通信手段を備え、結果あるいは比較IDリストなどのユーザ情報を通信手段により、他の装置へ送信し提示する、あるいは他の機器および外部あるいは内蔵するストレージ上に保存するという実装も可能である。さらにまた、電子メールあるいは無線、有線などの通信手段により、比較IDリストを取得すると言う実装も可能である。
【００１９】
実施の形態２．
図３はこの発明の実施の形態２である情報管理装置を含む情報管理システムを示すブロック構成図である。
この実施の形態２は予め作成された複数の比較IDリストを記憶している比較IDリスト群００６から目的に応じて比較IDリストを選択して取得リストと比較し、比較結果を、比較結果提示部でユーザへ提示するものである。
図において、この情報管理システムは、添付されている物品を識別可能な情報を保持しているID情報保持装置００１と、情報管理装置１００から構成される。情報管理装置１００は、無線通信部００２とID情報取得部００３と比較結果提示部００４とID情報比較部００５と比較IDリスト群００６とID情報作成部００７と比較IDリスト作成部００８とリスト情報入力部００９とを備える。
比較IDリスト群００６は、予め作成され目的に応じて選択可能な複数の比較IDリストを保存している。
【００２０】
図３において情報管理装置１００のID情報取得部００３は、無線通信部００２を介しID情報保持装置００１にアクセスし、このID情報保持装置００１が添付されている物品を識別する情報取得を試みる。ID情報取得部００３はID情報保持装置００１が保持する情報を取得するとID情報比較部００５を用いて、予め作成された複数の比較IDリストを記憶している比較IDリスト群００６から目的に応じて選択された図６に例示するような「比較IDリスト」と比較し、比較結果を、比較結果提示部００４を用いて、ユーザへ提示する。
また、この情報管理装置１００は、比較IDリスト群００６に入力する図６に例示するようなID情報を含む「比較IDリスト」を作成するために、必要な情報を外部より取り込むリスト情報入力部００９と、個々の比較IDリストに登録するためのID情報を作成するID情報作成部００７およびリスト情報入力部００９とID情報作成部００７から入力された情報を元に比較IDリストを作成する比較IDリスト作成部００８を有する。
【００２１】
次に動作について説明する。
図４および図５はこの実施の形態２における情報管理装置の情報照合処理の流れを示す処理フロー図の例である。処理を開始すると、ステップＳ４０１において、ID情報取得部００３が無線通信部００２を経由し、近傍（無線通信部００２の到達範囲）にある複数のID情報保持装置００１にアクセスしID情報を取得し、例えば図７に示すような「取得IDリスト」として保持する。
【００２２】
次に、ステップＳ４０２でステップＳ４０１においてID情報を取得できたか、否かの判定を行う。ステップＳ４０２において、取得できたID情報が無いと判定された場合、ステップＳ４０６でIDを確認できないとして、ID情報確認不能の処理を行い、ステップＳ４０５の処理に移行する。
ステップＳ４０５は一連の処理が終了か否かの判定を行う。このステップＳ４０５の判定処理については後述する。一方、ステップＳ４０２においてID情報を取得したと判定された場合、ステップＳ４０３にて取得したIDに関する照合処理を行うための比較IDリストを比較IDリスト群００６より選択する。
【００２３】
ステップＳ４０３において、比較IDリストを選択する際に、「比較IDリスト」図６の６０３に示すようなユーザに理解可能な「比較IDリスト名」をユーザに提示し、ユーザ入力による選択を行うことで処理される。
【００２４】
あるいは、この情報管理装置１００に日時および曜日などを計測可能な時計装置およびその時計装置と連動したスケジュールに関連した比較IDリストを管理するスケジュール帖と連動し、自動的に比較IDリストの選択を行う方法をとることも可能である。この自動的な比較IDリスト選択の際には、例えば、スケジュール帖は日付、曜日、時刻などの条件と関連付けたIDリスト名を保持し、このID照合機能を使用時の上記条件が該当するスケジュールの有無を調べ、スケジュールがあった場合、関連付けられた比較IDリスト名を持つ比較IDリストを比較IDリスト群００６より選択する。
【００２５】
図６は、実施の形態２において、比較IDリスト群００６に登録され用いられる比較IDリストの例である。図において、６０３は、前述の比較IDリスト選択処理ステップＳ４０３に用いられる、このリストの識別子であり、比較IDリスト名６０１が「出勤時用リスト」であることを示す。
【００２６】
ステップＳ４０３にて、比較IDリストが選択されると、ステップＳ４０４にて、ステップＳ４０３において選択された比較IDリストを用いて、ID情報取得時の照合処理を行う。この照合処理の詳細は図５を用いて後述する。ステップＳ４０４にて照合処理が終了すると、ステップＳ４０５にて処理を終了させるか否かの判定を行う。この判定は、ステップＳ４０１のID情報保持装置００１よりの情報取得からステップＳ４０４のID情報取得時処理或いはステップＳ４０６のID確認不能処理にいたる一連の処理を、繰り返すか否かを決定するものである。
【００２７】
決定方法は、予め決められた回数を繰り返したか否かを判定する方法や、ユーザによる終了指定がなされているか否か（即ちユーザによる終了指定がなされるまで繰り返す）方法などをとることが出来る。また、これらと組み合わせ、GPSなどを用い絶対位置情報をこの情報管理装置に持たせることにより規定距離移動ごとに判定を繰り返す実装も考えられる。
予め決められた回数を繰り返したか否かで終了か継続かを決定ことは、複数回繰り返すことにより、ID情報保持装置００１との通信の失敗による取得不能だったものが取得可能となる場合もあるからである。
【００２８】
次に、図５を用いて、この実施の形態２における、図４のステップＳ４０４に示したID情報取得時処理の詳細について説明する。このステップＳ４０４に示すID情報取得時処理においては図４のステップＳ４０１にて取得した全てのID情報保持装置００１からの情報について、ID情報比較部００５を用いて照合処理を行うものである。図４のステップＳ４０１においては、例えば、図７に示すような「取得IDリスト」に取得したIDに関する（例えば項目７０１に示した様な）情報を記入し、取得IDリストを作成する。ID情報取得時処理を開始すると図５のステップＳ５０１の判定処理にて、図４のステップＳ４０３にて比較IDリスト群００６より選択された比較IDリストを用いて、判定を行う。
【００２９】
図６において、項目６０１はリストの検索タグが「比較IDリスト名」であることを示し、項目６０３は比較IDリスト名が「出勤用リスト」であることを示す。項目６０２はこの列に記載された「一意にモノを識別可能な数値」をID情報としてリスト上で管理することを示す。項目６０４は項目６０２の列に記載されたIDを持つ（添付された）物品の情報を示す。項目６０５の列はこの表に示されたそれぞれの行のIDを持つ物品が、図３に示すID情報取得部００３が収集した図７に示すような取得IDリストにあるか否かの情報を入力するためのものであり、デフォルト値はチェックを行っていないことを示す「未」が入力され、図４の処理Ｓ４０１において作成した図７に示すような取得IDリスト上に同じIDがあるか否かをチェックし結果を入力する。
【００３０】
図７において、列７０１は図４に示す処理ステップＳ４０１にて取得したID情報保持装置００１からのID情報を示すものである。列７０２は、列７０１に入力されているそれぞれのID情報に対する比較IDリストとの照合結果を入力するものであり、デフォルト値は照合を行っていないことを示す「未」であり、図５に示す処理ステップＳ５０１にて比較IDリスト上にあるか否かをチェックした後、比較IDリスト上にあるID情報である場合は「有」を、比較IDリスト上にあるID情報でない場合は「無」を、結果として入力する。
【００３１】
例えば、図４のステップＳ４０３にて、比較IDリストとして図６に示す出勤時用リストが選択され、図４のステップＳ４０１において図７に示すように“141.15.13.101”、“10. 00.00.42”、“133.14.12.198”の３つのID情報が取得された場合、図５に示す処理ステップＳ５０１にて、これらの３つのID情報について、順次先に示した出勤時用リストにあるか否かのチェックを行う。ステップＳ５０１において比較IDリスト上にあると判定された場合、処理ステップＳ５０２において、図７の該当IDが入力されている行の列７０２、および図６の該当IDが入力されている行の列６０５に結果を記入する。この例においては、図７の行７０３および行７０４のチェックを行い、比較IDリストに141.15.13.101は「有」、10.00.00.42は「無」との結果が示され、133.14.12.198に関してはチェックをまだ行っていないことを示す「未」が入力されている。従って、図６に対しては、141.15.13.101は「有」、その他は全ての取得ID情報のチェックが完了していないことを示す「未」が入力されている。
【００３２】
処理ステップＳ５０２が終了後、判定処理Ｓ５１０にて、図７に示すような取得IDリストに未チェックの取得ID情報があるか否かをチェックする。判定処理ステップＳ５１０において、未チェックの取得ID情報がないと判定された場合は、図６に示すような比較IDリストの列６０５のチェック欄に「未」と入力されている全てのものに対し「無」を入力し、処理を終了する。一方、判定処理ステップＳ５１０において、未チェックの取得ID情報があると判定された場合、再び判定処理ステップＳ５０１に戻り、一連の処理を行う。
【００３３】
一方、判定処理ステップＳ５０１にて、取得ID情報をチェックした際に比較IDリスト上にないと判定された場合、処理ステップＳ５０３にて認識不能ID情報確認処理を行う。処理ステップＳ５０３においては、図７に示すような取得IDリストの列７０２のリストチェック項目に、該当する取得IDが比較IDリスト上に存在しないことを示す「無」を入力し、判定処理ステップＳ５０５へと処理を移動する。
【００３４】
判定処理ステップＳ５０５においては、比較IDリスト上に存在しないID情報を取得したことから、該当するID情報を新規ID情報として登録するか否かの判定を行う。この判定は、図３におけるリスト情報入力部００９を用いて、ユーザからの入力情報を元に登録するか否かを決定するものである。判定処理ステップＳ５０５において新規ID登録を行うと判定された場合、処理スッテプＳ５０４にて、図３のリスト情報入力部００９を用いて登録する「比較IDリスト名」(図６の項目６０３にあるような情報)を入力し、判定処理ステップＳ５０６にて入力された「比較IDリスト名」が登録済みか否かを判定する。
【００３５】
判定処理ステップＳ５０６にて、新規「比較IDリスト」である（即ち入力された「比較IDリスト名」を持つ「比較IDリスト」が、図３の００６に示す「“比較IDリスト”群」内の登録済みのリスト中には無い）と判定された場合、ステップＳ５０７にて、リスト情報入力部００９を用い、ユーザからの必要な情報（ユーザに個々のリストを識別可能にする情報。即ち図６の項目６０３に示す比較IDリスト名など）を入力し新規「比較IDリスト」を作る。また、リスト情報入力部００９は、外部で作成された「“比較IDリスト”群」あるいは「比較IDリスト」を直接取り込み、比較IDリスト作成部００８を用いて、登録することも可能である。この場合、他のストレージ機器やパソコンなどの情報管理装置から、電子メールやWEBなどを含む、有線および無線環境を利用し、「“比較IDリスト”群」あるいは「比較IDリスト」を直接取り込み、比較IDリスト作成部００８を用いて、登録する。
【００３６】
新規「比較IDリスト」作成後、ステップＳ５０８にて比較IDリスト作成部００８を用いて、作成した「比較IDリスト」を前述の「“比較IDリスト”群」に登録する。この「比較IDリスト」は、図６に示すようなデータ構造を持ち、「“比較IDリスト”群」００６には前述した個々のリストを識別するための情報（たとえば、「比較IDリスト名」などで）と共に登録を行う。
【００３７】
処理ステップＳ５０９にて、新規「比較IDリスト」の「“比較IDリスト”群」００６への登録後、新規ID登録処理を行う。新規ID登録処理においては、図３に示すリスト情報入力部００９を用いてユーザからの登録に必要な情報（図６の列６０４に示す添付物情報などユーザに認識可能な情報）を入力し、先に処理ステップＳ５０８にて登録した新規「比較IDリスト」に、この個々のID情報を識別する情報を用いて登録を行う。また、判定処理ステップＳ５０６にて新規比較IDリストではない（即ち既存の比較IDリストへ登録する）と判定された場合も、この処理ステップＳ５０８にて、先の処理ステップＳ５０４においてユーザから指定された登録リストへの登録処理を行う。また、この図３のID情報作成部００７は、ユーザからの手入力以外に、例えば、ID情報保持装置００１が先に入力したようなユーザに認識可能な情報を保持している場合、ID情報取得部００３により取得した情報を解析し、そこから情報を取り出すと言う実装も可能である。
【００３８】
ステップＳ５０９にて新規ID情報の登録処理が終了すると、Ｓ５１０にて、図４の処理ステップＳ４０１にて取得し保存したID情報の中に比較IDリスト中にあるか否かのチェックを行っていない項目（図７の列７０２に「未」が記入されている行）が残っていないか、のチェックを行う。判定処理ステップＳ５１０にて、未チェックIDが存在しないと判断された場合、ステップＳ４０４の処理を終了し、図４の判定処理ステップＳ４０５にて処理終了との判定を行い、処理ステップＳ４０７へと処理を移行する。
【００３９】
一方、図５の判定処理ステップＳ５１０にて未チェック取得IDがあると判定された場合（ステップＳ５１０YES）判定処理Ｓ５０１に戻り、一連の処理を未チェックの取得IDがなくなるまで繰り返す。
【００４０】
図４の判定処理ステップＳ４０５にて処理終了と判定された場合、処理ステップＳ４０７にて結果提示処理を行う。この時、結果の提示方法は以下の3通りが考えられる。
(1)比較IDリスト上にあり、かつステップＳ４０１処理にて取得できなかったものを提示。
(2)比較IDリスト上にあり、かつステップＳ４０１処理にて取得できたものを提示。
(3)比較IDリスト上になく、かつステップＳ４０１処理にて取得できたものを提示。
【００４１】
上記(1)または(2)を実現することにより、例えば、携帯物チェックを行う目的で比較IDリストとして外出時の比較IDリストを用い、忘れ物防止装置を実現することが出来る。例えば、この情報管理装置１００を移動しながら（即ちユーザが携帯しながら）判定を行うことにより、移動を経ても常に取得できたID情報（即ち繰り返された全てのID情報保持装置からの取得処理において認識されたID）の取得リストを作成すると、この取得リストは携帯物IDリストとなる。即ち携帯物IDリストは、この情報管理装置１００を携帯しつつ移動しながらステップＳ４０１に示すID取得処理を複数回繰り返し、その都度作られる「取得IDリスト」上に常に存在したIDを入力する。これにより、情報管理装置１００を携帯したユーザが移動すると、他の携帯物もユーザおよび情報管理装置１００と共に移動するが、ユーザの周辺に置かれた物品は移動しないため、複数回ID取得を繰り返すことにより、携帯物のIDのみが取得できる。
【００４２】
この「携帯物リスト」を利用し、以下の装置を実現可能である。
イ．自宅を出る際の持ち忘れ防止装置；比較IDリスト上にありかつ「携帯物リスト」にないID情報をユーザに提示することで忘れ物を防止する装置の実現が可能となる。
ロ．電車などでの置忘れ防止装置；最後に作成された「携帯物リスト」を保存し、電車を出る際に（無線通信部００２からの電波が届かないくらい十分に）席から移動し、再びID取得を行い、最新の「取得IDリスト」とのID比較を行い、「携帯物リスト」にありかつ最新の「取得IDリスト」にないIDを持つモノを「置き忘れ物」と認識し、ユーザに通知する。
また(3)の結果提示方法と組み合わせ、例えば、ゲートを通る際に、携帯物リストを作り、ゲートを出る時に、再びチェックを行い、リスト上にないものを携帯しているか否かのチェックを行うことにより、持ちだし物チェック装置を実現することが出来る。
【００４３】
また、時刻情報を取得する手段を加え、これらの携行物リストに取得時の時刻の情報を付け加えて、新たな比較IDリストとして保存し、次の照合のときに、時刻やスケジュール帖の情報と組み合わせて、特定の日付や時刻のときに特化した、比較照合を行うことを可能とする。あるいは気象情報を取得する手段を加え、これらの携行物リストに取得時の気象の情報を付け加えて、新たな比較IDリストとして保存し、次の照合のときに、気象の情報と組み合わせて、特定の気象条件に特化した、比較照合を行うことを可能とする。さらにまた、これらの提示方法は、音声、画面表示など、様々な方法で行うことができる。また、必要に応じてこれらの音声表示、画像表示、など様々な応用が可能である。さらにまた、これらの提示方法は組み合わせて行う、あるいはユーザが、選択して行う実装も可能である。電子メールあるいは無線などの外部通信手段を備え、結果を通信手段を用い、他の装置へ送信し提示する、あるいは他の機器および外部ストレージ上に保存するという実装も可能である。
【００４４】
以上のように、目的に応じ、選択可能な比較IDリストを導入し、また複数の方法での結果提示も可能とするID情報照合を行うことで、ユーザに必要な情報を、ユーザにあった方法で提示することができる。
【００４５】
実施の形態３．
以上の実施の形態２では、目的に応じ、選択可能な比較IDリストを導入し、また複数の方法での結果提示も可能とするID情報照合を行うようにしたものであるが、次に日付に関する情報や天候情報などの環境条件を考慮した比較IDリストを自動生成しこれを用いる実施の形態３を示す。
図８は、この発明の実施の形態３である情報管理装置を含む情報管理システムを示すブロック構成図である。
図において、この情報管理システムは、物に添付され、添付されている物品を識別可能にする情報を保持しているID情報保持装置００１と、情報管理装置１００から構成される。情報管理装置１００は、無線通信部００２とID情報取得部００３と比較結果提示部００４とID情報比較部００５と条件付比較IDリスト群００６とID情報作成部００７と条件付比較IDリスト作成部００８と条件付リスト情報入力部００９と比較IDリスト合成部０１０と環境条件自動取得部０１１とを備える。
条件付比較IDリスト群００６は、目的に応じて選択された複数の「比較IDリスト」を保存している。
【００４６】
図８において情報管理装置１００のID情報取得部００３は、無線通信部００２を介しID情報保持装置００１にアクセスし、このID情報保持装置００１が添付されている物品を識別する情報取得を試みる。ID情報取得部００３はID情報保持装置００１が保持する情報を取得するとID情報比較部００５を用いて、条件付比較IDリスト群００６から目的に応じて選択された「比較IDリスト」と比較し、比較結果を、比較結果提示部００４を用いて、ユーザへ提示する。また、条件付比較IDリスト群００６に登録する個々のリスト情報「条件付比較IDリスト」を作成するために、必要な情報を外部より取り込む条件付リスト情報入力部００９と、個々の比較IDリストに登録するためのID情報を作成するID情報作成部００７および、条件付リスト情報入力部００９とID情報作成部００７から入力された情報を元に比較IDリストを作成する条件付比較IDリスト作成部００８とを有する。また、「条件付比較IDリスト」の情報および環境条件自動取得部０１１を用いて収集した情報を元に、比較IDリスト合成部０１０を用いて、ID情報比較部００５で使用可能な「比較IDリスト」を合成する。
【００４７】
次に動作について説明する。
図９および図１０はこの発明の実施の形態３における情報管理装置の情報照合処理の流れを示す処理フロー図である。処理を開始すると、図９のステップＳ４０１において、ID情報取得部００３が無線通信部００２を経由し、近傍（無線通信部００２の到達範囲）にある複数のID情報保持装置００１にアクセスしID情報を取得し、図７に示すようなデータを取得IDリストとして保持する。
【００４８】
次に、ステップＳ４０２においてステップＳ４０１でID情報を取得できたか、否かの判定を行う。ステップＳ４０２において、取得できたID情報が無いと判定された場合、ステップＳ４０６でIDを確認できないと処理して、ステップＳ４０５の処理に移行する。ステップＳ４０５は一連の処理が終了か否かの判定を行う。このステップＳ４０５の判定処理については後述する。一方、ステップＳ４０２においてID情報を取得したと判定された場合、ステップＳ４０８にて取得したIDに関する照合処理を行うための「条件付比較IDリスト」を、条件付比較IDリスト群００６より選択する。
【００４９】
この条件付比較IDリスト群００６は、図１１に例示する「条件付比較IDリストテーブル」と、その各行（図１１中、１１１０および１１１１に例示）である「条件付比較IDリスト」と、そこからリンクされた情報の実態である図６に例示する「比較IDリスト」および図１２および図１３に例示する「使用条件リスト」の集合である。図１１において、行１１１０および行１１１１に例示するような個々の「条件付比較IDリスト」は、「比較IDリスト名」１１０１、および「リスト使用時条件」１１０２により構成される。図１１において、「IDリスト名」でリンクされた「比較IDリスト」の実体は図６に例示するようなデータ構造をもつ。
【００５０】
図６おいて、項目６０１はリストの検索タグが「比較IDリスト名」であることを示し、項目６０３は比較IDリスト名が「出勤時用リスト」であることを示す。項目６０２はこの列に記載された「一意に物品を識別可能な数値」をID情報としてリスト上で管理することを示す。項目６０４は項目６０２の列に記載されたIDを持つ（添付された）物品の情報を示す。項目６０５の列はこの表に示されたそれぞれの行のIDを持つ物品が、ID情報取得部００３が収集した図７に示すような「取得IDリスト」にあるか否かの情報を入力するためのものであり、デフォルト値はチェックを行っていないことを示す「未」が入力され、図７に示すような「取得IDリスト」上に同じIDがあるか否かをチェックし結果を入力する。
【００５１】
一方、図１１における「リスト使用時条件」１１０２は「日付条件」１１０３、「曜日条件」１１０４、「天候条件」１１０５、「その他」１１０６からなる。これらの条件は１１０７に示す「起動条件」および、１１０８に示すその起動条件に合致した場合に使用する「条件リスト名」からなる。さらにこれらの条件を起動させるために、この情報管理装置１００は図示しない日時および曜日などを計測可能な「時計装置」、インターネットを経由する、あるいは放送と連携した「天候情報取得装置」および前記「時計装置」と連動したスケジュールと関連した比較IDリストを管理する「スケジュール帖」を持つ。
【００５２】
ステップＳ４０８において、条件付比較IDリストを選択する際に、図１１の列１１０１に示すようなユーザに理解可能な「IDリスト名」をユーザに提示し、ユーザ入力による選択を行うことで実装可能である。
【００５３】
図６は、実施の形態３において、比較IDリスト群００６に登録され用いられる比較IDリストの例である。図において、６０３は、前述の比較IDリスト選択処理ステップＳ４０８に用いられる、このリストの識別子であり、比較IDリスト名６０１が「出勤時用リスト」であることを示す。
【００５４】
ステップＳ４０８にて、比較IDリストが選択されると、処理ステップＳ４０９にて図１１に示した「起動条件」を発動させる「環境条件」の取得を環境条件自動取得部０１１を用いて行う。この際、先に述べた「時計装置」および「スケジュール帖」を用いて、環境条件やスケジュールに依存した条件を取得する。行１１１０のある条件付比較IDリストが選択された場合、「時計装置」により16日に当たるか否かで日付条件「毎16日」条件および曜日条件「水」または「金」の起動を決定し、「16日」であった場合「List0003」の使用条件ListIDを持つ「使用条件リスト」を、「水曜」であった場合「List0001」の使用条件ListIDを持つ「使用条件リスト」を、「金曜」であった場合「List0002」の使用条件ListIDを持つ「使用条件リスト」を用いる決定を行う。また、「天候情報取得装置」により天気予報を獲得し、たとえば、「午後の雨の確立が８０％以上」とあれば条件「雨」によりList0004を用い、「午後の晴れの確立が８０％以上」とあれば条件「晴」によりList0005を用い、それ以外の場合は両方を用いるという決定を行う。また、行１１１１にある条件付比較IDリストが選択された場合、「日付条件」として「毎日」により、スケジュール帖の該当年月日のスケジュールScYMDと連動した「使用条件リスト」リストList(ScYMD)を用いる。この「使用条件リスト」List(ScYMD)は、スケジュール帖のほうに「使用条件リスト」に加える項目を直接書き込むという実装のほか、例えば、スケジュール帖の該当年月日に「オペラ」とあった場合、自動的に「チケット」を「使用条件リスト」に加える処理を行って作成する、あるいは過去の「オペラ」のスケジュールのときの情報を使用するという実装も可能である。
【００５５】
図９の処理ステップＳ４０９にて環境条件に従った「起動条件」に基づく「使用条件リスト」を決定した後、処理ステップＳ４１０にてID照合に用いる「合成比較IDリスト」の合成を比較IDリスト合成部０１０で行う。図１４はこの「合成比較IDリスト」の例である。図１４において列１４０１はこのリストが管理する「ID情報」を示し、列１４０２はこのIDを持つ（添付された）物品の情報を示し、列１４０３は該当するIDを持つ（この項を持つ行の列１４０１に記述された）物品を検出しなければならないか、検出してはならないかの情報を示す。具体的には行１４０５のIDを持つ物品は「要」と記載されているので検出しなくてはならないものであり、行１４０７のIDを持つ物品は「禁」と記載されているので検出してはならないものである。さらに列１４０４の「チェック」は、図６における列６０５と同様の内容を記述する場所である。従って列１４０４は、図８に示すID情報取得部００３が収集した図７に示すような取得IDリストにあるか否かの情報を入力するためのものであり、デフォルト値はチェックを行っていないことを示す「未」が入力され、図７に示すような取得IDリスト上に同じIDがあるか否かをチェックし結果を入力する。図１４に示す「合成比較IDリスト」は図１２に示す「使用条件リスト」および図６に示す「比較IDリスト」を用いて合成するものである。
【００５６】
図１２は、図１１において「条件リスト名」でリンクされた「使用条件リスト」の例である。図１２において、１２０１はこのリスト１２０２に示すIDを持ち、種別が「使用条件List」であることを示し、列１２０２はこのリストが管理する「ID情報」を示し、列１２０４は列１２０２に示した「ID情報」をリスト合成の際に、必要物として加えるか、取り除くか、あってはいけないものとして加えるかの情報を示す。具体的には、この列１２０４の項目に「要」とあった場合、「合成比較IDリスト」に追加する。この列１２０４の項目に「不要」とあった場合、図１１にて条件とリンクされた「比較IDリスト」に該当する「ID情報」があった場合に、これを「合成比較IDリスト」への追加を行わない。この列１２０４の項目に「禁」とあった場合は、「合成比較IDリスト」に条件「禁」をつけ追加する。
【００５７】
処理ステップＳ４１０にて「合成比較IDリスト」生成後、ステップＳ４０４にて、ステップＳ４１０において合成された「合成比較IDリスト」を用いて、ID情報取得時の照合処理を行う。この照合処理の詳細は図１０を用いて後述する。ステップＳ４０４にて照合処理が終了すると、ステップＳ４０５にて処理を終了させるか否かの判定を行う。この判定は、ステップＳ４０１のID情報保持装置００１よりの情報取得からステップＳ４０４のID情報取得時処理或いはステップＳ４０６のID確認不能処理にいたる一連の処理を、繰り返すか否かを決定するものである。決定方法は、予め決められた数を繰り返したか否かを判定する方法や、ユーザによる終了指定がなされているか否か（即ちユーザによる終了指定がなされるまで繰り返す）方法などをとることが出来る。また、これらと組み合わせ、GPSなどを用い絶対位置情報をこの情報管理装置に持たせることにより規定距離移動ごとに判定を繰り返す実装も考えられる。
予め決められた回数を繰り返したか否かで終了か継続かを決定ことは、複数回繰り返すことにより、ID情報保持装置００１との通信の失敗による取得不能だったものが取得可能となる場合もあるからである。
【００５８】
次に、図１０を用いて、この実施の形態３における、図９のステップＳ４０４に示したID情報取得時処理の詳細について説明する。このステップＳ４０４に示すID情報取得時処理においては図９のステップＳ４０１にて取得した全てのID情報保持装置００１からの情報について、ID情報比較部００５を用いて照合処理を行うものである。図９のステップＳ４０１においては、例えば、図７に示すような表に取得したIDに関する（例えば項目７０１に示した様な）情報を記入し、図１０において処理を開始するとステップＳ５１１の判定処理にて、図９のステップＳ４１０にて合成された「合成比較IDリスト」を用いて、判定を行う。
【００５９】
例えば、図９のステップＳ４１０にて、「合成比較IDリスト」として図１４に示すリストが生成され、図９のステップＳ４０１において図７に示すように“141.15.13.101”、“10.00.00.42”、“133.14.12.198”の３つのID情報が取得された場合、図１０に示す処理ステップＳ５１１にて、これらの３つのID情報について、順次先に示した図１４の「合成比較IDリスト」にあるか否かをチェックを行う。ステップＳ５１１において「合成比較IDリスト」上にあると判定された場合、処理ステップＳ５１２において、図１４の該当IDが入力されている行の列１４０２、および図６の該当IDが入力されている行の列６０５に結果を記入する。この例においては、図７の行７０３および行７０４のチェックを行い、「合成比較IDリスト」に141.15.13.101は「有」、10.00.00.42は「無」との結果が示され、133.14.12.198に関してはチェックをまだ行っていないことを示す「未」が入力されている。従って、図６に対しては、141.15.13.101は「有」、その他は全ての取得ID情報のチェックが完了していないことを示す「未」が入力されている。
【００６０】
処理ステップＳ５１２が終了後、判定処理Ｓ５１０にて、図７に示すような取得IDリストに未チェックの取得ID情報があるか否かをチェックする。判定処理ステップＳ５１０において、未チェックの取得ID情報がないと判定された場合は、図６に示すような比較IDリストの列６０５のチェック欄に「未」と入力されている全てのものに対し「無」を入力し、処理を終了する。一方、判定処理ステップＳ５１０において、未チェックの取得ID情報があると判定された場合、再び判定処理ステップＳ５１１に戻り、一連の処理を行う。
【００６１】
一方、判定処理ステップＳ５１１にて、取得ID情報をチェックした際に比較IDリスト上にないと判定された場合、処理ステップＳ５０３にて認識不能ID情報確認処理を行う。処理ステップＳ５０３においては、図７に示すような取得IDリストの列７０２のリストチェック項目に、該当する取得IDが比較IDリスト上に存在しないことを示す「無」を入力し、判定処理ステップＳ５０５へと処理を移動する。
【００６２】
判定処理ステップＳ５０５においては、合成比較IDリスト上に存在しないID情報を取得したことから、該当するID情報を新規ID情報として登録するか否かの判定を行う。この判定は、図８における情報作成部００７を用いて、ユーザからの入力情報を元に登録するか否かの決定を行う。判定処理ステップＳ５０５において新規ID登録を行うと判定された場合、処理スッテプＳ５０４にて、図８の条件付リスト情報入力部００９を用いて登録する「比較IDリスト名」(図６の項目６０３にあるような情報)を入力し、判定処理ステップＳ５０６にて入力された「比較IDリスト名」が登録済みか否かを判定する。
【００６３】
判定処理ステップＳ５０６にて、新規「比較IDリスト」である（即ち入力された「比較IDリスト名」を持つ「比較IDリスト」が、条件付比較IDリスト群００６内の登録済みのリスト中には無い）と判定された場合、ステップＳ５０７にて、条件付リスト情報入力部００９を用い、ユーザからの必要な情報（ユーザに個々のリストを識別可能にする情報、即ち図６の項６０３に示す比較IDリスト名など）を入力し新規「比較IDリスト」を作る。また、条件付リスト情報入力部００９は、外部で作成された「“比較IDリスト”群」あるいは「比較IDリスト」を直接取り込み、条件付比較IDリスト作成部００８を用いて、登録することも可能である。この場合、他のストレージ機器やパソコンなどの情報管理装置から、電子メールやWEBなどを含む、有線および無線環境を利用し、「“比較IDリスト”群」あるいは「比較IDリスト」を直接取り込み、条件付比較IDリスト作成部００８を用いて登録することも可能である。
【００６４】
新規「比較IDリスト」作成後、ステップＳ５１３にて比較IDリスト作成部００８を用いて、作成した「比較IDリスト」を前述の 条件付比較IDリスト群００６に登録する。この「比較IDリスト」は、図６に示すようなデータ構造を持ち、条件付比較IDリスト群００６には前述した個々のリストを識別するための情報（たとえば、「比較IDリスト名」などで）と共に登録を行う。
【００６５】
新規「比較IDリスト」の条件付比較IDリスト群００６への登録後、処理ステップＳ５０９にて、新規ID登録処理を行う。新規ID登録処理においては、ID情報作成部００７を用いてユーザからの登録に必要な情報（図６の列６０４に示す添付物情報などユーザに認識可能な情報）を入力し、先に処理ステップＳ５１３にて登録した新規「比較IDリスト」に、この個々のID情報を識別する情報を用いて登録を行う。また、判定処理ステップＳ５０６にて新規比較IDリストではない（即ち既存の比較IDリストへ登録する）と判定された場合も、この処理ステップＳ５１３にて、先の処理ステップＳ５０４においてユーザから指定された登録リストへの登録処理を行う。また、この図８のID情報作成部００７は、ユーザからの手入力以外に、例えば、ID情報保持装置００１が先に入力したようなユーザに認識可能な情報を保持している場合、ID情報取得部００３により取得した情報を解析し、そこから情報を取り出すと言う実装も可能である。
【００６６】
ステップＳ５０９にて新規ID情報の登録処理が終了すると、ステップＳ５１０にて、図９の処理ステップＳ４０１にて取得し保存したID情報の中に比較IDリスト中にあるか否かのチェックを行っていない項目（図７の列７０２に「未」が記入されている行）が残っていないか、のチェックを行う。判定処理ステップＳ５１０にて、未チェックIDが存在しないと判断された場合、ステップＳ４０４の処理を終了し、図９の判定処理ステップＳ４０５にて処理終了との判定を行い、処理ステップＳ４０７へと処理を移行する。
【００６７】
一方、図１０の判定処理ステップＳ５１０にて未チェック取得IDがあると判定された場合（ステップＳ５１０YES）判定処理Ｓ５１１に戻り、一連の処理を未チェックの取得IDがなくなるまで繰り返す。
【００６８】
図９の判定処理ステップＳ４０５にて処理終了と判定された場合、処理ステップＳ４０７にて結果提示処理を行う。この時、結果の提示方法は以下の3通りが考えられる。
(1)“「合成比較IDリスト」上にあり”かつ“「要」との条件付で”かつ“ステップＳ４０１処理にて取得できなかったもの” 、および“「合成比較IDリスト」上にあり”かつ“「禁」との条件付で”かつ“ステップＳ４０１処理にて取得できたもの”を「要／禁」の条件と共に提示。
(2)“「合成比較IDリスト」上にあり”かつ“「要」との条件付で”かつ“ステップＳ４０１処理にて取得できたもの”、および“「合成比較IDリスト」上にあり”かつ“「禁」との条件付で”かつ“ステップＳ４０１処理にて取得できたもの” を「要／禁」の条件と共に提示。
(3)“「合成比較IDリスト」上になく”、かつ“「要」との条件付で”、かつ“ステップＳ４０１処理にて取得できたもの”、および“「合成比較IDリスト」上にあり”かつ“「禁」との条件付で”かつ“ステップＳ４０１処理にて取得できたもの” を「要／禁」の条件と共を提示。
【００６９】
上記(1)または(2)を実現することにより、例えば、携帯物チェックを行う目的で比較IDリストとして外出時の比較IDリストを用い、忘れ物防止装置を実現することが出来る。即ち、この情報管理装置１００を移動しながら判定を行うことにより、移動を経ても常に取得できたID情報保持装置００１の情報（即ち繰り返された全てのID情報保持装置からの取得処理において認識されたID）を元に、そのID情報保持装置００１が添付されているものを携帯していると判定し、比較IDリスト上にありかつ携帯していない情報をユーザに提示することで忘れ物を防止する装置の実現が可能となる。
【００７０】
また(3)の結果提示方法と組み合わせ、例えば、ゲートを通る際に、携帯物リストを作り、ゲートを出る時に、再びチェックを行い、リスト上にないものを携帯しているか否かのチェックを行うことにより持ち出し物チェック装置を実現することが出来る。さらにまた、これらの提示方法は、音声、画面表示など、様々な方法で行うことができる。また、必要に応じてこれらの音声表示、画像表示、など様々な応用が可能である。さらにまた、これらの提示方法はユーザが、選択して行う実装も可能である。
【００７１】
以上のように、目的に応じ選択可能でかつ、日付や天候や別なスケジュールと関連する条件に応じて変形可能な条件付比較IDリストを導入し、また複数の方法での結果提示も可能とするID情報照合を行うことで、ユーザに必要な情報を、ユーザにあった方法で提示することができる。
【００７２】
実施の形態４．
以上の実施の形態３では、目的に応じ選択可能でかつ、日付や天候や別なスケジュールと関連する条件に応じて変形可能な条件付比較IDリストを導入し、また複数の方法での結果提示も可能とするID情報照合を行うようにしたものであるが、次に取得したID情報を元に日付に関する情報や天候情報などの環境条件およびスケジュール帖による行動予定を考慮するための条件情報の作成を同時に行う実施の形態を示す。
図１５は、この発明の実施の形態４である情報管理装置を含む情報管理システムを示すブロック構成図である。
【００７３】
図において、この情報管理システムは、添付されている物品を識別可能な情報を保持しているID情報保持装置００１と、情報管理装置１００から構成される。情報管理装置１００は、無線通信部００２とID情報取得部００３と比較結果提示部００４とID情報比較部００５と条件付比較IDリスト群００６とID情報作成部００７と条件付比較IDリスト作成部００８と条件付リスト情報入力部００９と比較IDリスト合成部０１０と環境条件自動取得部０１１と状態条件作成部０１２とを備える。
【００７４】
図１５において情報管理装置１００のID情報取得部００３は、無線通信部００２を介しID情報保持装置００１にアクセスし、このID情報保持装置００１が添付されている物品を識別する情報取得を試みる。ID情報取得部００３はID情報保持装置００１が保持する情報を取得するとID情報比較部００５を用いて、条件付比較IDリスト群００６上にある情報と比較し、比較結果を、比較結果提示部００４を用いて、ユーザへ比較結果を提示する。また、条件付比較IDリスト群００６に登録する個々のリスト情報「条件付比較IDリスト」を作成するために、必要な情報を外部より取り込む条件付リスト情報入力部００９と、個々の比較IDリストに登録するためのID情報を作成するID情報作成部００７および、条件付リスト情報入力部００９とID情報作成部００７から入力された情報を元に比較IDリストを作成する条件付比較IDリスト作成部００８とを有する。
【００７５】
また、「条件付比較IDリスト」の情報および環境条件自動取得部０１１を用いて収集した情報を元に、比較IDリスト合成部０１０を用いて、ID情報比較部００５で使用可能な「合成比較IDリスト」を合成する。さらに状態条件作成部０１２を用いて、ID情報取得部００３と環境条件自動取得部０１１が収集した情報を元に、「条件付比較IDリスト作成に必用な、新たな「使用条件リスト」を作成する。
【００７６】
次に動作について説明する。
図１６はこの発明の実施の形態４における情報管理装置の情報照合処理の流れを示す処理フロー図である。処理を開始すると、ステップＳ４０１において、図１５に示すID情報取得部００３が無線通信部００２を経由し、近傍（無線通信部００２の到達範囲）にある複数のID情報保持装置００１にアクセスしID情報を取得し、図７に示すようなデータとして保持する。
【００７７】
次に、ステップＳ４０２においてステップＳ４０１においてID情報を取得できたか、否かの判定を行う。ステップＳ４０２において、取得できたID情報が無いと判定された場合、ステップＳ４０６でIDを確認できないと処理して、ステップＳ４０５の処理に移行し、ステップＳ４０５の処理にて、終了か否かの判定を行う。このステップＳ４０５の判定処理については後述する。一方、ステップＳ４０２においてID情報を取得したと判定された場合、ステップＳ４０８にて取得したIDに関する照合処理を行うための「条件付比較IDリスト」を、図１５に示す条件付比較IDリスト群００６より選択する。
【００７８】
この条件付比較IDリスト群００６は、図１１に示すような「条件付比較IDリスト」の集合である。図１１において、行１１１０および行１１１１に例示するような個々の「条件付比較IDリスト」は、「比較IDリスト名」１１０１、および「リスト使用時条件」情報１１０２により構成される。図１１において、「IDリスト名」でリンクされた「比較IDリスト」の実体は図６に例示するようなデータ構造をもつ。図６おいて、項目６０１はリストの検索タグが「比較IDリスト名」であることを示し、項目６０３は比較IDリスト名が「出勤用リスト」であることを示す。項目６０２はこの列に記載された「一意に物品を識別可能な数値」をID情報としてリスト上で管理する管理することを示す。項目６０４は項目６０２の列に記載されたIDを持つ（添付された）物品の情報を示す。項目６０５の列はこの表に示されたそれぞれの行のIDを持つ物品が、図１５に示すID情報取得部００３が収集した図７に示すような取得IDリストにあるか否かの情報を入力するためのものであり、デフォルト値はチェックを行っていないことを示す「未」が入力され、図７に示すような取得IDリスト上に同じIDがあるか否かをチェックし結果を入力する。
【００７９】
一方、図１１における「リスト使用時条件」１１０２は、「日付条件」１１０３、「曜日条件」１１０４、「天候条件」１１０５、「その他」１１０６からなる。これらの条件は１１０７に示す「起動条件」および、１１０８に示すその起動条件に合致した場合に使用する「条件リスト名」からなる。さらにこれらの条件を起動させるために、この情報管理装置１００は図示しない日時および曜日などを計測可能な「時計装置」、インターネットを経由するあるいは放送と連携した「天候情報取得装置」およびその時計装置と連動したスケジュールと関連した比較IDリストを管理する「スケジュール帖」を持つ。
【００８０】
ステップＳ４０８において、条件付比較IDリストを選択する際に、図１１の列１１０１に示すようなユーザに理解可能な「IDリスト名」をユーザに提示し、ユーザ入力による選択を行うことで実装可能である。
【００８１】
図６は、実施の形態４において、条件付比較IDリスト群０００６に登録され用いられる比較IDリストの例である。図において、６０３は、前述の比較IDリスト選択処理ステップＳ４０８に用いられる、このリストの識別子であり、比較IDリスト名６０１が「出勤時用リスト」であることを示す。
【００８２】
ステップＳ４０８にて、条件付比較IDリストが選択されると、処理ステップＳ４０９にて図１１に示した「起動条件」を発動させる「環境条件」の取得を行う。この際、先に述べた「時計装置」および「スケジュール帖」を用いて、環境条件やスケジュールに依存した条件を取得する。行１１１０ある条件付比較IDリストが選択された場合、「時計装置」により16日に当たるか否かで日付条件「毎16日」条件および曜日条件「水」または「金」の起動を決定し、「16日」であった場合「List0003」の使用条件ListIDを持つ「使用条件リスト」を、「水曜」であった場合「List0001」の使用条件ListIDを持つ「使用条件リスト」を、「金曜」であった場合「List0002」の使用条件ListIDを持つ「使用条件リスト」を用いる決定を行う。また、「天候情報取得装置」により天気予報を獲得し、たとえば、「午後の雨の確立が８０％以上」とあれば条件「雨」によりList0004を用い、「午後の晴れの確立が８０％以上」とあれば条件「晴」によりList0005を用い、それ以外の場合は両方を用いるという決定を行う。また、行１１１１にある条件付比較IDリストが選択された場合、「日付条件」として「毎日」により、スケジュール帖の該当年月日のスケジュールScYMDと連動した「使用条件リスト」リストList(ScYMD)を用いる。この「使用条件リスト」List(ScYMD)は、スケジュール帖のほうに「使用条件リスト」に加える項目を直接書き込むという実装のほか、例えば、スケジュール帖の該当年月日に「オペラ」とあった場合、自動的に「チケット」を「使用条件リスト」に加える処理を行って作成する、あるいは過去の「オペラ」のスケジュールのときの情報を使用するという実装も可能である。
【００８３】
図１６の処理ステップＳ４０９にて環境条件に従った「起動条件」に基づく「使用条件リスト」を決定した後、処理ステップＳ４１０にてID照合に用いる「合成比較IDリスト」の合成を行う。図１４はこの「合成比較IDリスト」の例である。図１４において列１４０１はこのリストが管理する「ID情報」を示し、列１４０２はこのIDを持つ（添付された）物品の情報を示し、列１４０３は該当するIDを持つ（この項を持つ行の列１４０１に記述された）物品を検出しなければならないか、検出してはならないかの情報を示す。具体的には行１４０５のIDを持つ物品は「要」と記載されているので検出しなくてはならないものであり、行１４０７のIDを持つ物品は「禁」と記載されているので検出してはならないものである。さらに列１４０４は「チェック」は、図６における列６０５と同様の内容を記述する場所である。従って列１４０４は、図１５に示すID情報取得部００３が収集した図７に示すような取得IDリストにあるか否かの情報を入力するためのものであり、デフォルト値はチェックを行っていないことを示す「未」が入力され、図７に示すような取得IDリスト上に同じIDがあるか否かをチェックし結果を入力する。これら図１４に示す「合成比較IDリスト」は図１２に示す「使用条件リスト」および図５に示す「比較IDリスト」を用いて合成するものである。
【００８４】
図１２は、図１１において「条件リスト名」でリンクされた「使用条件リスト」の例である。図１２において、１２０１はこのリスト１２０２に示すIDを持ち、種別が「使用条件List」であることを示し、列１２０２はこのリストが管理する「ID情報」を示し、列１２０４は列１２０２に示した「ID情報」をリスト合成の際に、必要物として加えるか、取り除くか、あってはいけないものとして加えるかの情報を示す。具体的には、この列１２０４の項目に「要」とあった場合、「合成比較IDリスト」に追加する。この列１２０４の項目に「不要」とあった場合、図１１にて条件とリンクされた「比較IDリスト」に該当する「ID」があった場合に、これを「合成比較IDリスト」への追加を行わない。この列１２０４の項目に「禁」とあった場合は、「合成比較IDリスト」に条件「禁」をつけ追加する。
【００８５】
処理ステップＳ４１０にて「合成比較IDリスト」生成後、ステップＳ４１１にて、ステップＳ４１０において合成された「合成比較IDリスト」を用いて、ID情報取得時の照合処理を行う。この照合処理の詳細は図１７を用いて後述する。ステップＳ４１１にて照合処理が終了すると、ステップＳ４０５にて処理を終了させるか否かの判定を行う。この判定は、ステップＳ４０１のID情報保持装置からの情報取得からステップＳ４１１のID情報取得時処理或いはステップＳ４０６のID確認不能処理にいたる一連の処理を、繰り返すか否かを決定するものである。決定方法は、予め決められた数を繰り返したか否かを判定する方法や、ユーザによる終了指定がなされているか否か（即ちユーザによる終了指定がなされるまで繰り返す）方法などをとることが出来る。また、これらと組み合わせ、GPSなどを用い絶対位置情報をこの情報管理装置に持たせることにより規定距離移動ごとに判定を繰り返す実装も考えられる。複数回繰り返すことにより、ID情報保持装置との通信の失敗による取得不能だったものが取得可能となる場合もある。
【００８６】
次に、図１７を用いて、この実施例４における、図１６のステップＳ４１１に示したID情報取得時処理の詳細について説明する。このステップＳ４１１に示すID情報取得時処理においては図１６のステップＳ４０１にて取得した全てのID情報保持装置００１からの情報について、図１５に示すID情報比較部００５を用いて照合処理を行うものである。図１６のステップＳ４０１においては、例えば、図７に示すような表に取得したIDに関する（例えば項目７０１に示した様な）情報を記入し、図１７において処理を開始するとステップＳ５１１の判定処理にて、図１６のステップＳ４１０にて合成された「合成比較IDリスト」を用いて判定を行う。
【００８７】
例えば、図１６のステップＳ４１０にて、「合成比較IDリスト」として図１４に示すリストが生成され、図１６のステップＳ４０１において図７に示すように“141.15.13.101”、“10.00.00.42”、“133.14.12.198”の３つのID情報が取得された場合、図１７に示す処理ステップＳ５１１にて、これらの３つのID情報について、順次先に示した図１４の「合成比較IDリスト」にあるか否かをチェックを行う。ステップＳ５１１において「合成比較IDリスト」上にあると判定された場合、処理ステップＳ５１２において、図１４の該当IDが入力されている行の列１４０２、および図６の該当IDが入力されている行の列６０５に結果を記入する。この例においては、図７の行７０３および行７０４のチェックを行い、「合成比較IDリスト」に141.15.13.101は「有」、10.00.00.42は「無」との結果が示され、133.14.12.198に関してはチェックをまだ行っていないことを示す「未」が入力されている。従って、図６に対しては、141.15.13.101は「有」、その他は全ての取得ID情報のチェックが完了していないことを示す「未」が入力されている。
【００８８】
処理ステップＳ５１２が終了後、判定処理Ｓ５１０にて、図７に示すような取得IDリストに未チェックの取得ID情報があるか否かをチェックする。判定処理ステップＳ５１０において、未チェックの取得ID情報がないと判定された場合は、図６に示すような比較IDリストの列６０５のチェック欄に「未」と入力されている全てのものに対し「無」を入力し、処理を終了する。一方、判定処理ステップＳ５１０において、未チェックの取得ID情報があると判定された場合、再び判定処理ステップＳ５１１に戻り、一連の処理を行う。
【００８９】
一方、判定処理ステップＳ５１１にて、取得ID情報をチェックした際に比較IDリスト上にないと判定された場合、処理ステップＳ５０３にて認識不能ID情報確認処理を行う。処理ステップＳ５０３においては、図７に示すような取得IDリストの列７０２のリストチェック項目に、該当する取得IDが比較IDリスト上に存在しないことを示す「無」を入力し、判定処理ステップＳ５０５へと処理を移動する。
【００９０】
判定処理ステップＳ５０５においては、合成比較IDリスト上に存在しないID情報を取得したことから、該当するID情報を新規ID情報として登録するか否かの判定を行う。この判定は、図１５における情報作成部００５を用いて、ユーザからの入力情報を元に登録するか否かの決定を行う。判定処理ステップＳ５０５において新規ID登録を行うと判定された場合、処理スッテプＳ５０４にて、図１５の条件付リスト情報入力部００９を用いて登録する「比較IDリスト名」(図６の項目６０３にあるような情報)を入力し、判定処理ステップＳ５０６にて入力された「比較IDリスト名」が登録済みか否かを判定する。
【００９１】
判定処理ステップＳ５０６にて、新規「比較IDリスト」である（即ち入力された「比較IDリスト名」を持つ「比較IDリスト」が、図１５の条件付比較IDリスト群００６内の登録済みのリスト中には無い）と判定された場合、判定処理ステップＳ５０７にて、図１５に示す条件付リスト情報入力部００９を用い、ユーザからの必要な情報（ユーザに個々のリストを識別可能にする情報。即ち図６の項目６０３に示す比較IDリスト名など）を入力し新規「比較IDリスト」を作る。また、この図１５に示す条件付リスト情報入力部００９は、外部で作成された「“比較IDリスト”群」あるいは「比較IDリスト」を直接取り込み、条件付比較IDリスト作成部００８を用いて、登録することも可能である。この場合、他のストレージ機器やパソコンなどの情報管理装置から、電子メールやWEBなどを含む、有線および無線環境を利用し、「“比較IDリスト”群」あるいは「比較IDリスト」を直接取り込み、条件付比較IDリスト作成部００８を用いて、登録することも可能である。
【００９２】
新規「比較IDリスト」作成後、ステップＳ５１３にて図１５の比較IDリスト作成部００８を用いて、作成した「比較IDリスト」を前述の「“条件付比較IDリスト”群」に登録する。この「比較IDリスト」は、図６に示すようなデータ構造を持ち、条件付比較IDリスト群００６には前述した個々のリストを識別するための情報（たとえば、「比較IDリスト名」などで）と共に登録を行う。
【００９３】
新規「比較IDリスト」の「“条件付比較IDリスト”群」への登録後、処理ステップＳ５０９にて、新規ID登録処理を行う。新規ID登録処理においては、図１５に示すID情報作成部００７を用いてユーザからの登録に必要な情報（図６の列６０４に示す添付物情報などユーザに認識可能な情報）を入力し、先に処理ステップのＳ５１３にて登録した新規「比較IDリスト」に、この個々のID情報を識別する情報を用いて登録を行う。また、判定処理ステップＳ５０６にて新規比較IDリストではない（即ち既存の比較IDリストへ登録する）と判定された場合も、この処理ステップＳ５１３にて、先の処理ステップＳ５０４においてユーザから指定された登録リストへの登録処理を行う。また、この図１５のID情報作成部００７は、ユーザからの手入力以外に、例えば、ID情報保持装置００１が先に入力したようなユーザに認識可能な情報を保持している場合、ID情報取得部００３により取得した情報を解析し、そこから情報を取り出すと言う実装も可能である。
【００９４】
ステップＳ５０９にて新規ID情報の登録処理が終了すると、ステップＳ５１０にて、図１６の処理ステップＳ４０１にて取得し保存したID情報の中に比較IDリスト中にあるか否かのチェックを行っていない項目（図７の列７０２に「未」が記入されている行）が残っていないか、のチェックを行う。判定処理ステップＳ５１０にて、未チェックIDが存在しないと判断された場合、判定処理ステップＳ５１４にて図７に例示した取得IDリストにあるID情報を用いて「条件リスト」を作成するか否かの判定を行う。この判定はユーザからの入力により行う。判定処理ステップＳ５１４にて「条件リスト」を作成すると判定された場合、処理ステップＳ５１５にて図１５の状態条件作成部０１２を用いて新規「条件リスト」を作成する。
【００９５】
処理ステップＳ５１５においては、始めに「条件リスト」であることを識別可能な「使用条件リストID」をつけた、図１２および図１３に例示するようなデータ構造を持った空の「使用条件リスト」を作成する。次に作成した「条件リスト」へ図７に例示した取得IDリストにあるID情報からユーザによって選択されたものを「用/不要/禁」および「添付物情報」と共に登録する。「条件リスト」作成後、図１５の条件付比較IDリスト群００６へ登録する。この際、図１１に示すように特定の「比較IDリスト」との関連付けを行い（即ち、図１１の各行にある情報を作成し）図１１に示す「条件付比較IDテーブル」へ登録を行う。図１１の行１１１１にある条件付比較IDリストの「起動条件」の「その他」として「前回」があり、これは前回「休日外出時用リスト」を用いた際に取得した「取得IDリスト」を元に処理ステップＳ５１５にて作成したものであり、たとえば、同じ人と連続して出かける際に同じ服を着てゆかないことなどのチェックが可能である。
【００９６】
判定処理ステップＳ５１４にて「条件リスト」を作成しないと判定された場合、ステップＳ４１１の処理を終了し、図１６の判定処理ステップＳ４０５にて処理終了との判定を行い、処理ステップＳ４０７へと処理を移行する。
【００９７】
一方、図１７の判定処理ステップＳ５１０にて未チェック取得IDがあると判定された場合（ステップＳ５１０YES）判定処理Ｓ５１１に戻り、一連の処理を未チェックの取得IDがなくなるまで繰り返す。
【００９８】
図１６の判定処理ステップＳ４０５にて処理終了と判定された場合、処理ステップＳ４０７にて結果提示処理を行う。この時、結果の提示方法は以下の3通りが考えられる。
(1)“「合成比較IDリスト」上にあり”かつ“「要」との条件付で”かつ“ステップＳ４０１処理にて取得できなかったもの” 、および“「合成比較IDリスト」上にあり”かつ“「禁」との条件付で”かつ“ステップＳ４０１処理にて取得できたもの”を「要／禁」の条件と共に提示。
(2)“「合成比較IDリスト」上にあり”かつ“「要」との条件付で”かつ“ステップＳ４０１処理にて取得できたもの”、および“「合成比較IDリスト」上にあり”かつ“「禁」との条件付で”かつ“ステップＳ４０１処理にて取得できたもの” を「要／禁」の条件と共に提示。
(3)“「合成比較IDリスト」上になく”かつ“「要」との条件付で”かつ“ステップＳ４０１処理にて取得できたもの”、および“「合成比較IDリスト」上にあり”かつ“「禁」との条件付で”かつ“ステップＳ４０１処理にて取得できたもの” を「要／禁」の条件と共を提示。
【００９９】
上記(1)または(2)を実現することにより、例えば、携帯物チェックを行う目的で比較IDリストとして外出時の比較IDリストを用い、忘れ物防止装置を実現することが出来る。即ち、この情報管理装置１００を移動しながら判定を行うことにより、移動を経ても常に取得できたID情報保持装置００１の情報（即ち繰り返された全てのID情報保持装置からの取得処理において認識されたID）を元に、そのID情報保持装置００１が添付されているものを携帯していると判定し、比較IDリスト上にありかつ携帯していない情報をユーザに提示することで忘れ物を防止する装置の実現が可能となる。
また(3)の結果提示方法と組み合わせ、例えば、ゲートを通る際に、携帯物リストを作り、ゲートを出る時に、再びチェックを行い、リスト上にないものを携帯しているか否かのチェックを行うことにより持ちだし物チェック装置を実現することが出来る。さらにまた、これらの提示方法は、音声、画面表示など、様々な方法で行うことができる。また、必要に応じてこれらの音声表示、画像表示、など様々な応用が可能である。さらにまた、これらの提示方法はユーザが、選択して行う実装も可能である。
【０１００】
以上のように、目的に応じ、さらに日付や天候や別なスケジュールと関連する条件に応じて変形可能な、選択可能な比較IDリストを導入し、また複数の方法での結果提示も可能とするID情報照合を行うことで、ユーザに必要な情報を、ユーザにあった方法で提示し、また、ID情報の照合と共に、照合の際に取得したID情報の中から選択した情報を、次の照合時の「使用条件リスト」として再利用することができる。
【０１０１】
以上のように、比較IDリストを導入し、ID情報の比較照合を行うことで、ユーザに必要な情報（足りないもの,余分なもの、それらを満たしているか否かなど）を、で提示することができる。
【産業上の利用可能性】
【０１０２】
複数のIDを管理するためのリストを持ち、取得されたID情報と保持するID情報との照合機能を持ち、忘れ物チェック、特定場所からの持ち出し、特定場所への持ち込みチェックシステムへの応用が可能である。
【図面の簡単な説明】
【０１０３】
【図１】この発明の実施の形態１の構成を示すブロック図。
【図２】実施の形態１のID照合処理全体を示す処理フロー図。
【図３】この発明の実施の形態２の構成を示すブロック図。
【図４】実施の形態２のID照合処理全体を示す処理フロー図。
【図５】実施の形態２のID情報収集時の照合処理を示す処理フロー図。
【図６】実施例２〜実施例４に用いられる比較IDリストの説明図。
【図７】実施例２〜実施例４に用いられる取得IDリストの説明図。
【図８】この発明の実施の形態３の構成を示すブロック図。
【図９】この発明の実施の形態３のID照合処理全体を示す処理フロー図。
【図１０】実施の形態３のID情報収集時の照合処理を示す処理フロー図。
【図１１】実施の形態３と実施の形態４に用いる条件付比較IDリストテーブルの説明図。
【図１２】実施の形態３〜実施の形態４に用いる使用条件リストの説明図。
【図１３】実施の形態３〜実施の形態４に用いる使用条件リストの説明図。
【図１４】実施の形態３〜実施の形態４に用いる合成比較IDリストの説明図。
【図１５】この発明の実施例４を示すブロック図。
【図１６】実施の形態４のID照合処理全体を示す処理フロー図。
【図１７】実施の形態４のID情報収集時の照合処理を示す処理フロー図。
【図１８】従来例を示すブロック図。
【図１９】この発明の従来例の処理フローを示すブロック図。
【符号の説明】
【０１０４】
００１ID情報保持装置、
００２  無線通信部、
００３ID情報取得部、
００４  比較結果提示部、
００５ID情報比較部、
００６  比較IDリスト、比較IDリスト群、条件付比較IDリスト群、
００７ID情報作成部、
００８  比較IDリスト作成部、条件付比較IDリスト作成部、
００９  リスト情報入力部、条件付リスト情報入力部、
０１０  比較IDリスト合成部、
０１１  環境条件自動取得部、
０１２  状態条件作成部、
１００  情報管理装置。
【図１】
2005071039.tif 000003
【図２】
2005071039.tif 000004
【図３】
2005071039.tif 000005
【図４】
2005071039.tif 000006
【図５】
2005071039.tif 000007
【図６】
2005071039.tif 000008
【図７】
2005071039.tif 000009
【図８】
2005071039.tif 000010
【図９】
2005071039.tif 000011
【図１０】
2005071039.tif 000012
【図１１】
2005071039.tif 000013
【図１２】
2005071039.tif 000014
【図１３】
2005071039.tif 000015
【図１４】
2005071039.tif 000016
【図１５】
2005071039.tif 000017
【図１６】
2005071039.tif 000018
【図１７】
2005071039.tif 000019
【図１８】
2005071039.tif 000020
【図１９】
2005071039.tif 000021